(57)【要約】  本発明は、医療情報照会及び入力方法、並びにこれを実行するプログラム及びシステムに関し、データベースから基準日以前の患者の医療情報を読み出すステップ、前記患者の医療情報から、設定されたフィールド項目による日付別オブジェクトを各々生成するステップ、及びインターフェース上に前記各々のオブジェクトを別途のセクション形態で該当フィールドに日付別に時系列的に表示するステップを含む医療情報照会及び入力方法、並びにこれを実行するプログラム及びシステムを提供する。
2021532520.tif 000002
【特許請求の範囲】
【請求項１】
データベースから基準日以前の患者の医療情報を読み出すステップ；
前記患者の医療情報から、設定されたフィールド項目による日付別オブジェクトを各々生成するステップ；及び、
インターフェース上に前記各々のオブジェクトを別途のセクション形態で該当フィールドに日付別に時系列的に表示するステップ；を含むことを特徴とする医療情報照会及び入力方法。
【請求項２】
前記インターフェース上に表示された基準日以前のセクションを利用し、基準日または基準日以後に該当するフィールドの内容を入力するステップをさらに含むことを特徴とする請求項１に記載の医療情報照会及び入力方法。
【請求項３】
前記入力ステップは、該当フィールドの既表示されたセクションを選択して基準日または基準日以後の位置にドラッグする方式で移動させて、該当位置に新しいセクションを生成することを特徴とする請求項２に記載の医療情報照会及び入力方法。
【請求項４】
前記入力ステップは、
入力しようとする所定フィールドの基準日以前のセクションを基準日位置にドラッグして新しいセクションを生成するステップ；及び、
前記基準日の前記所定フィールドに該当する医療情報が生成されるステップ；を含むことを特徴とする請求項３に記載の医療情報照会及び入力方法。
【請求項５】
前記医療情報が生成されるステップは、ユーザが常時生成されたセクションを選択して入力ウィンドウを呼び出し、前記入力ウィンドウを介して表示される既存セクションの医療情報を修正して基準日の前記所定フィールドに該当する医療情報を生成することを特徴とする請求項４に記載の医療情報照会及び入力方法。
【請求項６】
前記医療情報が生成されるステップは、ユーザが修正した内容が反映されたオブジェクトを再生成し、前記再生成されたオブジェクトを前記生成されたセクションに表示することを特徴とする請求項５に記載の医療情報照会及び入力方法。
【請求項７】
前記所定フィールドは、診断名フィールド、診療記録フィールド、処方フィールドのうち一つであることを特徴とする請求項４に記載の医療情報照会及び入力方法。
【請求項８】
前記入力ステップは、
予約しようとする所定フィールドの基準日または基準日以前のセクションを、基準日または基準日以後の位置にドラッグして新しいセクションを生成するステップ；及び、
前記基準日以後に前記所定フィールドに該当する予約情報が生成されるステップ；を含むことを特徴とする請求項３に記載の医療情報照会及び入力方法。
【請求項９】
前記予約情報が生成されるステップは、ユーザが前記生成されたセクションを選択して予約日付を入力するステップを含むことを特徴とする請求項８に記載の医療情報照会及び入力方法。
【請求項１０】
前記生成された予約情報を処方伝達システムに伝達するステップをさらに含むことを特徴とする請求項８に記載の医療情報照会及び入力方法。
【請求項１１】
前記所定フィールドは、検査フィールドまたは処方フィールドのうち一つであることを特徴とする請求項８に記載の医療情報照会及び入力方法。
【請求項１２】
前記データベースで伝達された前記患者の医療情報のうち、前記予約された情報に該当する検査結果が存在しない場合、前記生成されたセクションを介して既定義された方式で該当検査結果が存在しないことを認識することができるように表示することを特徴とする請求項８に記載の医療情報照会及び入力方法。
【請求項１３】
ユーザが、前記インターフェース上にセクションが表示されない位置を選択する場合、該当日付の該当フィールドに該当する入力ウィンドウが表示され、
ユーザが、前記入力ウィンドウを介して入力した内容に相応するオブジェクトが表示される新しいセクションが前記位置に生成されることを特徴とする請求項１に記載の医療情報照会及び入力方法。
【請求項１４】
ユーザが前記セクションを選択する場合、前記セクションに該当する詳細情報が別途の詳細表示ウィンドウを介して表示されることを特徴とする請求項１に記載の医療情報照会及び入力方法。
【請求項１５】
ユーザが特定フィールドを選択する場合、前記選択されたフィールドに該当する医療情報のみが抽出されて別途のウィンドウを介して時系列的に表示されることを特徴とする請求項１に記載の医療情報照会及び入力方法。
【請求項１６】
データベースから基準日以前の患者の医療情報を読み出すステップ；
前記患者の医療情報から設定された時間軸情報及び設定されたフィールドに相応する各々のオブジェクトを生成するステップ；及び、
前記各々のオブジェクトをインターフェース上に別途のセクション形態で該当フィールドによって時系列的に表示するステップ；を実行することを特徴とする医療情報照会及び入力プログラム。
【請求項１７】
日付情報及びフィールド情報によって各々別途のセクション形態で患者の医療情報を表示し、ユーザが患者の医療情報を入力することができるインターフェース；及び、
データベースで提供される患者の医療情報を前記インターフェース上に表示できるように加工し、前記インターフェースから入力される情報を処理する処理部；を含み、
前記処理部は、データベースと患者の医療情報を送受信するためのデータ伝達部；
前記データベースから提供された患者の医療情報から、前記インターフェース上の前記セクションに表示できるように、設定された時間軸情報及び設定されたフィールドに相応する各々のオブジェクトを生成するオブジェクト生成部；及び、
前記インターフェースを介してユーザが入力した情報を処理する入力処理部；を含むことを特徴とする医療情報照会及び入力システム。
【発明の詳細な説明】
【技術分野】
【０００１】
本発明は、医療情報照会及び入力方法、並びにこれを実行するプログラムに関し、より詳しくは、可読性及びユーザ便宜性を改善した医療情報照会及び入力システム、照会及び入力方法、並びにこれを実行するプログラムに関する。
【背景技術】
【０００２】
従来は患者の医療情報をペーパーに記載して管理したが、現在は電子義務記録（ｅｌｅｃｔｒｏｎｉｃ  ｍｅｄｉｃａｌ  ｒｅｃｏｒｄ）形態で電算化が行われた。病院ではこのような電子義務記録を照会、記録及び活用するためのシステムが構築されており、ユーザは、コンピュータのようなユーザ端末を介して電子義務記録に接近することでこれを照会して記録する。
【０００３】
ただし、既存の電子義務記録を照会及び入力するためのシステムのインターフェースは、ライブラリ形態で構成されて所望の記録に接近する手順が複雑であるという短所があった。そして、日付別または医療情報の種類によって各々別途のウィンドウを介して表示されるため、ユーザが記録の時系列的変化を確認してこれに基づく診療を実行しにくいという短所があった。このような従来のシステムインターフェースは、複雑な構造のため専門性がない患者のようなユーザが接近して使用するには限界があり、タブレットＰＣ及び携帯電話モバイルなどで多角化されるユーザ端末への適用性が落ちる問題点があった。
【発明の概要】
【発明が解決しようとする課題】
【０００４】
本発明は、前記問題点を解決するためのものであって、ユーザが所望する医療情報を容易に照会でき、患者の病歴及び状態を時系列的に確認することができる医療情報照会及び入力システム、照会及び入力方法、並びにこれを実行するプログラムを提供するためである。
【課題を解決するための手段】
【０００５】
前記目的を達成するために、本発明は、データベースから基準日以前の患者の医療情報を読み出すステップ、前記患者の医療情報から設定されたフィールド項目による日付別オブジェクトを各々生成するステップ、及びインターフェース上に前記各々のオブジェクトを別途のセクション形態で該当フィールドに日付別に時系列的に表示するステップを含む医療情報照会及び入力方法を提供する。
【０００６】
そして、本発明は、前記インターフェース上に表示された基準日以前のセクションを利用し、基準日または基準日以後に該当するフィールドの内容を入力するステップをさらに含む。
【０００７】
ここで、入力ステップは、該当フィールドの既表示されたセクションを選択して基準日または基準日以後の位置にドラッグする方式で移動させて、該当位置に新しいセクションを生成する。具体的に、前記入力ステップは、入力しようとする所定フィールドの基準日以前のセクションを基準日位置にドラッグして新しいセクションを生成するステップ及び前記基準日の前記所定フィールドに該当する医療情報が生成されるステップを含む。
【０００８】
ここで、前記医療情報が生成されるステップは、ユーザが常時生成されたセクションを選択して入力ウィンドウを呼び出し、前記入力ウィンドウを介して表示される既存セクションの医療情報を修正して基準日の前記所定フィールドに該当する医療情報を生成する。
【０００９】
さらに、前記医療情報が生成されるステップは、ユーザが修正した内容が反映されたオブジェクトを再生成し、前記再生成されたオブジェクトを前記生成されたセクションに表示することを含む。ここで、前記所定フィールドは、診断名フィールド、診療記録フィールド、処方フィールドのうち一つである。
【００１０】
一方、前記入力方法は、予約しようとする所定フィールドの基準日または基準日以前のセクションを基準日または基準日以後の位置にドラッグして新しいセクションを生成するステップ及び前記基準日以後に前記所定フィールドに該当する予約情報が生成されるステップを含む。
【００１１】
ここで、予約情報が生成されるステップは、ユーザが前記生成されたセクションを選択して予約日付を入力するように構成される。そして、前記生成された予約情報を処方伝達システムに伝達するステップをさらに含む。ここで、前記所定フィールドは、検査フィールドまたは処方フィールドのうち一つである。
【００１２】
一方、前記データベースで伝達された前記患者の医療情報のうち、前記予約された情報に該当する検査結果が存在しない場合、前記生成されたセクションを介して既定義された方式で該当検査結果が存在しないことをユーザが認識できるように表示する。
【００１３】
また、ユーザが、前記インターフェース上にセクションが表示されない位置を選択する場合、該当日付の該当フィールドに該当する入力ウィンドウが表示され、ユーザが、前記入力ウィンドウを介して入力した内容に相応するオブジェクトが表示される新しいセクションが前記位置に生成される。
【００１４】
さらに、ユーザが前記セクションを選択する場合、前記セクションに該当する詳細情報が別途の詳細表示ウィンドウを介して表示される。また、ユーザが特定フィールドを選択する場合、前記選択されたフィールドに該当する医療情報のみが抽出されて別途のウィンドウを介して時系列的に表示される。
【００１５】
一方、前記本発明の目的を達成するために、本発明は、前記データベースから基準日以前の患者の医療情報を読み出すステップ、前記患者の医療情報から設定された時間軸情報及び設定されたフィールドに相応する各々のオブジェクトを生成するステップ、及び前記各々のオブジェクトを前記インターフェース上に別途のセクション形態で該当フィールドによって時系列的に表示するステップを実行する医療情報照会及び入力プログラムを提供する。
【００１６】
また、本発明は、日付情報及びフィールド情報によって各々別途のセクション形態で患者の医療情報を表示し、ユーザが患者の医療情報を入力することができるインターフェース、及びデータベースで提供される患者の医療情報を前記インターフェース上に表示できるように加工し、前記インターフェースから入力される情報を処理する処理部を含み、前記処理部は、データベースと患者の医療情報を送受信するためのデータ伝達部、前記データベースから提供された患者の医療情報から前記インターフェース上の前記セクションに表示できるように設定された時間軸情報及び設定されたフィールドに相応する各々のオブジェクトを生成するオブジェクト生成部、及び前記インターフェースを介してユーザが入力した情報を処理する入力処理部を含むことを特徴とする医療情報照会及び入力システムを提供する。
【発明の効果】
【００１７】
本発明による場合、一つのインターフェース画面を介して複数日付の医療情報を時系列的に同時に確認することが可能であるため、ユーザが関連性のある情報の時間的変化推移及び各フィールド情報間の相関関係を容易に把握できるという長所がある。
【００１８】
また、本発明でインターフェースに表示される方式は、既存のペーパー形態の診療チャートと類似した構造でユーザに見慣れる使用環境を提供し、ユーザは、これを介して各フィールド別情報を容易に区分して識別できる。
【００１９】
そして、本発明による場合、既存の患者医療情報を利用して新規入力を進行することが可能であるため、情報入力が容易で、且つタッチスクリーンのような多様なデバイス環境で容易に使用することができる。
【図面の簡単な説明】
【００２０】
【図１】本発明の一実施例に係る医療情報照会及び入力システムの構成を示す。
【図２】図１のユーザ端末の主要構成を示すブロック図である。
【図３】図２のインターフェースを示す。
【図４】図３で一部セクションの細部内容を表示する形態を示す。
【図５】図３で一部検査結果を別途ウィンドウを介して時系列的に表示した形態を示す。
【図６】図１のシステムにより実行される医療情報照会及び入力方法を示す流れ図である。
【図７】インターフェースに第１のフィールドの内容を入力する一例を示す。
【図８】インターフェースに第１のフィールドの内容を入力する他の例を示す。
【図９】インターフェースに第２のフィールドの内容を入力する一例を示す。
【図１０】各フィールドまたはサブフィールド別各スケールによる表示形態を示す。
【図１１】時間軸調整によるインターフェース表示方法を示す流れ図である。
【図１２】第１の照会期間を設定した状態のインターフェースを示す。
【図１３】第２の照会期間を設定した状態のインターフェースを示す。
【図１４】第３の照会期間を設定した状態のインターフェースを示す。
【図１５】ユーザが選択した代表値関連情報を表示したインターフェースを示す。
【図１６】ユーザが選択した代表値関連情報を選択的に表示する方法を示す流れ図である。
【発明を実施するための形態】
【００２１】
以下、図面を参考にして本発明の実施例に係る医療情報照会及び入力システム、照会及び入力方法、並びにこれを実行するプログラムに対して具体的に説明する。以下の説明において、各構成要素の位置関係は、原則的に図面を基準にして説明する。そして、図面は、説明の便宜のために発明の構造を単純化し、または必要な場合は誇張して表示されることができる。したがって、本発明がこれに限定されるものではなく、その他の各種装置を付加したり、変更または省略したりして実施することもできる。
【００２２】
図１は、本発明の一実施例に係る医療情報照会及び入力システムの構成を示す。図１に示すように、サーバ１００は、各種検査装置１０、患者が保有している各種端末２０、外部医療機関のサーバ３０、及び複数のユーザ端末２００などとネットワークを利用して連結されて情報の伝達を受けることができるように構成される。このようなサーバ１００は、内部に各種医療情報を格納するデータベース１１０を備え、ネットワークを介して提供される患者の各種医療情報をデータベース１１０上に格納する。データベース１１０に格納されるデータは、患者の人的事項及び過去の病歴に対する多様な情報を含むことができる。例えば、診療記録、手術記録、介護記録、麻酔記録など、医療関係者が直接記録した情報を含むことができる。または、映像検査、機能検査など、多様な検査に対する結果情報、そして過去診療時に実行された処置事項、処方履歴に対する情報を含むことができる。さらに、外部医療機関から伝達を受けた患者の医療情報を含むことができ、患者が保有している装置を介して送信される各種測定結果及び要求事項などに対する情報を含むことができる。
【００２３】
図１ではサーバ１００が複数のユーザ端末２００と連結される構造を開示しているが、個人病院のような小型医療機関ではサーバが単数のユーザ端末と連結されることも可能である。また、図１ではサーバとユーザ端末が別個の装置を構成することを開示しているが、ユーザ端末自体がデータベースを備えて一つの装置でサーバ及びユーザ端末の役割を同時に実行することも可能である。このようなサーバは、医療機関内に備えられるハードウェアで構成されることも可能であるが、ユーザがどこでもインターネットを介して接近可能にインターネット上のクラウドサーバを利用して構成することも可能である。
【００２４】
ユーザ端末２００は、インターフェース２２０を介してユーザが患者の医療情報を照会し、医療情報を入力することができる装置である。このようなユーザ端末２００は、デスクトップ、ノートブック、タブレットＰＣ、携帯電話モバイルなど、ユーザに情報を表示することができ、ユーザが情報を入力することができる多様な電子装置を利用して構成できる。本実施例において、ユーザ端末２００は、医療関係者が使用するユーザ端末を中心にして説明するが、本発明がこれに限定されるものではなく、患者が自分の医療機録情報を照会して情報を入力することができるユーザ端末で構成されることも可能である。
【００２５】
ユーザ端末２００を介して入力される患者の医療情報は、データベース１１０上に新しく格納またはアップグレードされることができる。また、ユーザ端末２００を介して処置内容、処方内容、予約などのオーダー情報が入力されると、該当オーダーを実行することができるように該当情報をサーバ１００を介して処方伝達システム３００に伝達できる。
【００２６】
図２は、図１のユーザ端末の主要構成を示すブロック図である。図２に示すように、ユーザ端末２００は、処理部２１０及びインターフェース２２０を含んで構成されることができる。
【００２７】
処理部２１０は、インターフェース２２０を介して要求される患者の医療情報をデータベース１１０に要求し、データベース１１０を介して提供される患者の医療情報をインターフェース２２０に表示できるように加工する構成である。ここで、データベース１１０は、便宜上、サーバのデータベースの図面符号を利用して表示するが、これに限定されるものではなく、外部の他のシステムのデータベースまたはユーザ端末自体的に保有しているデータベースであってもよい。そして、インターフェース２２０を介して入力される入力情報をデータベース１１０に格納することができるように送信し、入力情報のうちオーダー事項は、処方伝達システム３００に伝達できるようにオーダー情報を生成して伝達する構成である。
【００２８】
そして、インターフェース２２０は、ユーザ端末２００のディスプレイを介してユーザに医療情報を表示する構成である。また、ユーザは、インターフェース２２０を介して診療記録、処置内容、処方内容などの情報を入力することができる。このとき、ユーザは、キーボード、マウス、入力ペンなどを利用してインターフェースを介して各種情報を入力することができ、ディスプレイがタッチスクリーンで構成される場合、タッチ方式を利用して情報を入力することも可能である。
【００２９】
図３は、図２のインターフェースを示す。図３に示すように、インターフェース２２０の上段には患者の名前、性別、年齢などの患者情報が表示され、各種機能を選択することができる選択アイコンが配置される。そして、下側には選択された患者の各種医療情報を表示したり記録したりできる空間が形成される。このような患者の医療情報は、診断記録、検査記録、手術記録、入院記録などの各種病歴情報を含む。このような医療情報は、図３に示すように、水平方向に形成された時間軸に沿って、病歴に該当する各イベントが発生した日付別に表示される。したがって、ユーザは、一つのインターフェース画面を介して患者の病歴を時間経過順に確認することが可能である。
【００３０】
具体的に、時間軸に沿って患者の病歴に該当するイベントが発生した日付が各々表示される。一般的に時間軸の左側から所定間隔離れた位置に基準日が表示され、基準日の左側方向に基準日以前の日付が表示される。ここで、基準日は、設定された日付であり、一般的にユーザが医療情報を照会または入力する当日である。そして、各日付の下側垂直方向に該当日付の医療情報が表示される。このとき、縦軸は、医療情報の内容及び特性によって区分される複数のフィールドに区分される。このようなフィールドは、診断名フィールド、診療記録フィールド、検査フィールド、処方フィールドなどを含むことができる。したがって、データベース上に格納された患者の医療情報は、インターフェース上に病歴に該当する日付別に、情報の性格によって区分されて該当フィールドの位置に表示される。ユーザは、該当日付別医療情報を縦方向にスクロールしながら、各フィールドに該当する内容を確認することができる。ただし、図３のように、フィールドのうち一部フィールド（本実施例による場合、処方フィールド）は、ユーザ便宜性を考慮してインターフェースの下段で選択的にライズアップされるように構成されることができる（ここで、フィールドとは、各サブフィールドの集合からなる上位概念であって、サブフィールドと区分される意味で使われ、または情報の特性による分類を意味するものであって、サブフィールド自体を含む意味で使用することもできる）。
【００３１】
従来のシステムによるインターフェースはライブラリ形態で構成されるため、各々の情報に接近する手順が複雑であり、情報が個別的に管理されて表示されるため、ユーザが患者の過去医療情報に基づいて総合的に判断しにくいという短所があった。これに比べて、本発明による場合、ユーザは、一つのインターフェース画面を介して複数日付の医療情報を時系列的に同時に確認することが可能である。また、患者の医療情報がフィールド別に区分されて時系列的に表示されるため、関連性のある情報の時間的変化推移を容易に把握できる。特に、多様なフィールドに該当する情報が一つの画面を介して表示されるため、各フィールドの情報間の相関関係を容易に把握できる（例えば、処方薬剤変更による血糖検査数値変化の相関関係）。したがって、ユーザは、本発明によるインターフェースを介して患者の病歴及び処方履歴を容易に把握することが可能であり、患者の状態推移及び既存処方の効用性等に対して総合的に判断することが可能である。
【００３２】
患者の日付別フィールド別情報は、インターフェース上で各々セクション形態で提供される。ここで、セクション形態で提供されるとは、各々が別個のエンティティで形成され、インターフェース上でグラフィック的にも他の日付別フィールド別情報と区分されることができるように表示されることを意味する。そして、ユーザは、セクション単位で詳細情報内容を閲覧することができ、セクション単位でインターフェース上で位置を移動させることができる。一例として、図３に示すように、各々の日付別フィールド別情報は、インターフェースの背景上にカード状のセクション２２１で表示される。このような構造は、既存のペーパー形態の診療チャートと類似した構造であって、ユーザに見慣れる使用環境を提供し、ユーザは、これを介して各フィールド別情報を容易に区分して識別できる。ただし、このようなセクション２２１は、該当日付のフィールド別に一つのセクションで構成されるものではなく、該当フィールドに複数のサブフィールドが存在する場合、サブフィールド別に別途のセクションを構成する。例えば、検査フィールドでは血液検査、血液検査、Ｘ−ｒａｙ検査など、検査の種類によって各々別個のセクションで表示されることができ、処方フィールドでは薬物処方、処置処方、検査処方、リハビリ治療処方など、処方の種類によって各々別個のセクションで表示されることができる。
【００３３】
このように、本実施例に係るインターフェースの基本画面は、日付別フィールド別にセクションが整列された形態で表示される。したがって、特定日付には一部フィールドに該当する情報がなくて別途のセクションが生成されずに空白に残した部分が発生できる。したがって、インターフェースは、同日付のセクション間に空白が発生しないように上側に整列して表示する機能を含む。したがって、ユーザは、該当機能を選択し、日付別記録を照会するにあたって、縦方向に画面をスクロールすることを最小化させながら患者の医療情報を確認することができる。
【００３４】
図４は、図３で一部セクションの細部内容を表示する形態を示す。インターフェース２２０上に表示される各々のセクション２２１は、該当日付別フィールド別情報が加工されて表示される。ユーザが該当セクションの詳細情報の照会を要求すると、別途の詳細照会ウィンドウ２２２を介してこれを表示するように構成される。このような要求は、ユーザが該当セクションを選択する方式で行われ、このような選択は、マウスを利用したクリック動作、タッチスクリーンを介したタッチ動作などで行われることができる。詳細照会ウィンドウ２２２は、図４に示すように、患者の医療情報一側に生成される別途のセクションで構成されることができる。別途の画面転換動作なしに基本表示画面上にオーバーラップされて表示されるため、ユーザが医療情報を照会する動作の連続性を維持することができる。
【００３５】
図５は、図３で一部検査結果を別途ウィンドウを介して時系列的に表示した形態を示す。前述したように、本実施例のインターフェースは、日付別フィールド別に医療情報を提供するため、ユーザが各フィールド情報に対する時間経過による推移をインターフェースの基本画面を介して確認することができる。ただし、本実施例に係るインターフェースは、このような推移を別途のフィールド別詳細情報ウィンドウ２２３を介してより詳細に表示する機能を含むことができる。ユーザが一部フィールド（例えば、Ｘ−ｒａｙ検査結果フィールド）を選択（例えば、フィールド名クリック）する場合、該当フィールドに該当する医療情報を別途の詳細照会ウィンドウを介して時系列的に表示できる。基本画面で照会する場合、一部日付別情報には該当検査が進行されなかった時、一部が空白で表示される部分があるが、別途の詳細照会ウィンドウを介して表示される場合、このような空白なしに該当フィールド情報を集中的に確認することができるという長所がある。また、詳細照会ウィンドウを介して各セクションを介して表示される内容より詳細な情報を表示し、または該当情報が数値に関連したものである場合、時間経過による推移をグラフまたは統計として加工して表示できるという長所がある。
【００３６】
以上、図３及び図５を参照して、本実施例に係るインターフェースの基本的な表示形態を具体的に説明した。ただし、インターフェース上に表示される日付の個数、表示日付区間のような時間軸情報、及びフィールドの種類などは、ユーザの設定によって変更されることがきる。
【００３７】
再び、図２を参照して、処理部の構成をより具体的に説明する。図２に示すように、処理部２１０は、データ伝達部２１１、キャッシュ格納部２１２、オブジェクト生成部２１３、及び入力処理部２１４を含んで構成されることができる。
【００３８】
データ伝達部２１１は、各種データベース（ユーザ端末、サーバ、別途の検査装置、ウェブ上のデータベースなどを含む）と有線／無線で連結され、必要な情報を送信及び受信する構成である。したがって、ユーザがインターフェース２２０を介して特定患者の医療情報を要求すると、処理部２１０のデータ伝達部２１１は、データベース１１０から該当情報を受信する。そして、ユーザがインターフェース２２０を介して入力した医療情報を再び該当データベース１１０に格納することができるように送信する。また、ユーザがインターフェース２２０を介して処方オーダーを入力すると、該当オーダーを処方伝達システム３００に送信する機能を遂行することができる。
【００３９】
キャッシュ格納部２１２は、データベース１１０で送信された患者の医療情報を臨時に格納する構成である。したがって、処理部２１０は、キャッシュ格納部に格納された医療情報を利用してインターフェース上で設定された内容またはユーザの要求によって情報を抽出及び加工できる。また、ユーザが医療情報を入力する場合、キャッシュ格納部に格納された医療情報上に反映し、これをキャッシュ格納部２１２に格納された医療情報をデータベース１１０に送信してデータベース上の医療情報をアップデートすることができる。
【００４０】
オブジェクト生成部２１３は、データベース１１０で伝達される患者の医療情報のうちインターフェース２２０の各セクション２２１に表示するためのオブジェクトを生成する構成である。データベース１１０で伝達される患者の医療情報のうちインターフェースのセクションに表示される情報量は、その一部であり、表示形式もフィールドによって多様である。したがって、処理部２１０は、キャッシュ格納部２１２に格納された医療情報のうち表示される日付別情報及びフィールドに対する情報を抽出し、オブジェクト生成部２１３は、フィールド別に規定された表示方式によって日付別フィールド別セクションに表示されるためのオブジェクトを生成することができる。
【００４１】
例えば、図４に示すように、検査フィールドのうち血液検査に対する結果は、詳細照会ウィンドウに表示されたもののような多様な情報を含むことができる。ただし、血液検査項目に該当するセクションでは前記血液検査結果のうち主要な４個項目に対してのみ規定されたパターンで表示するように規定される。したがって、オブジェクト生成部２１３は、血液検査結果情報のうち該当情報のみを抽出して規定されたパターンで表示できるようにオブジェクトを生成する。
【００４２】
オブジェクト生成部２１３により生成されるオブジェクトは、該当するフィールドによって多様な形態で具現されることができる。図４に示すように、血液検査、基礎代謝プロファイル検査など、検査の種類によって各々定義されたチャート形態で異なるように表示されるように生成されることができる。また、検査結果のうちＸ−ｒａｙ撮影のような結果は、セクション上にイメージファイルで表示されるように生成されることができ、超音波検査のような結果は、セクション上で動映像が再生されるように生成されることができる。そして、診断名フィールド及び診療記録フィールドは、テキスト形態で表示されるように構成されることができる。このように、オブジェクト生成部は、各々のフィールド毎に、そして後述するセクションのスケール毎に多様な形態でオブジェクトを生成することができる。
【００４３】
一方、入力処理部２１４は、ユーザがインターフェースを介して入力する内容を処理する構成である。ユーザは、インターフェースを介して基準日に該当する診断名を作成したり、診療記録を作成したり、処方を作成したりする等の入力作業を実行することができる。このようにユーザがインターフェースを介して入力した内容は、入力処理部により認識されてキャッシュ格納部２１２に格納されてデータベース１１０にアップデートされることができるように処理され、または処方伝達システム３００に伝達されることができるように処理される。そして、処理された情報は、データ伝達部２１１を介してデータベースまたは処方伝達システムをはじめとする外部構成に伝達されることができる。
【００４４】
以上、処理部２１０が医療情報照会及び入力システム上で実行する内容を主要構成を中心にして説明した。図６は、図１のシステムにより実行される医療情報照会及び入力方法を示す流れ図であり、以下では図６を参照して各々のステップを具体的に説明する。
【００４５】
まず、ユーザがインターフェースを介して患者の医療情報を要求するステップを実行する（Ｓ１１０）。本ステップは、ユーザがインターフェース２２０画面を介して患者の名前またはＩＤを入力する方式で行われることができる。
【００４６】
処理部２１０は、要求された患者の医療情報をデータベース１１０から読み出す（Ｓ１２０）。前述したように、データベース１１０は、ユーザ端末に備えられるデータベースであり、または別途のサーバ装置またはクラウドサーバに備えられたデータベースであり、または別途の検査装置、他の医療機関、患者が保有した装置に備えられたデータベースである。本ステップは、処理部のデータ伝達部２１１を介して該当医療情報を受信する方式で行われ、受信された医療情報は、キャッシュ格納部２１２に格納されることができる。
【００４７】
処理部２１０は、データベースで伝達を受けた患者の医療情報を利用し、インターフェース上の各セクションに表示できるオブジェクトを生成するステップを実行する（Ｓ１３０）。本ステップにおいて、処理部は、設定された値（例えば、表示される日付区間、選択されたフィールド情報等）に基づいて、患者の医療情報のうち対象情報を抽出する。このとき、対象情報に含まれている内容は、各セクションに該当する単位であって、日付別、フィールド別（サブフィールドがある場合、サブフィールド別）に分類されることができる。オブジェクト生成部２１３は、分類された各セクションに該当する情報を該当フィールドまたは該当サブフィールドによって定義された形態で加工して各々のオブジェクトを生成する。このとき、定義された形態は、フィールドの種類によって異なることがあり、同じフィールドである場合もユーザが設定によるスケールによって異なることがある。
【００４８】
処理部２１０で生成されたオブジェクトは、インターフェース２２０の各々のセクションを介して表示される（Ｓ１４０）。前述したように、各々のセクションに表示される内容は、フィールドまたはサブフィールドによってテキスト形態、チャート形態、イメージ形態、映像再生形態で多様に生成されることができる。したがって、ユーザは、インターフェースを介して各々の日付別情報を時系列的に同時に確認することが可能であり、情報の性格によってフィールド別に区分して確認することが可能である。
【００４９】
一方、ユーザは、インターフェース２２０を介して患者の医療情報を照会しながら、インターフェース２２０を介して必要な内容を入力するステップを実行する（Ｓ１５０）。入力される内容は、診療記録、または処方、または診療予約または検査予約に対する内容である。具体的な入力方式に対しては、以下で別途に説明する。
【００５０】
ユーザが前記のような内容を入力すると、処理部２１０は、入力されたフィールド及び内容によって入力情報を処理する（Ｓ１６０）。一例として、ユーザが診療記録などの情報を入力すると、入力処理部２１４は、キャッシュ格納部２１２に格納された患者の既存の医療情報に追加された情報を付加して格納することができるように処理する。他の例として、ユーザが処方オーダーを入力し、または予約情報を入力すると、該当情報を処方伝達システム３００に伝達できるように命令を生成する。その他、処理部２１０は、ユーザが入力した情報を性格によって各々定義された方式で加工／処理できる。
【００５１】
このように、入力した情報に対する加工及び処理が実行されると、処理部２１０は、入力内容を格納したり、他の構成で伝達したりするステップを実行する（Ｓ１７０）。このようなステップは、処理部２１０のデータ伝達部２１１を介して実行されることができる。本ステップは、入力された内容が反映された患者の医療情報が格納されているキャッシュ格納部の内容を患者の既存の医療情報が格納されているデータベースに伝達して患者医療情報をアップデートすることができる。または、処方伝達システム３００または入力内容に相応する装置に入力内容を伝達できる。
【００５２】
医療情報入力
【００５３】
ユーザがインターフェースを介して入力する情報は、大きく二つに区分されることができる。まず、診断名フィールド、診療記録フィールド、所見書フィールドのように、ユーザの判断、所見及び問診内容などを入力するフィールドである（以下では、第１のフィールドという）。これは一般的にテキスト方式で入力が行われ、主に基準日の医療情報として入力される場合が多い。他の一つは、検査フィールド、処方フィールドのように、ユーザが基準日または基準日以後に検査またはリハビリ治療などを予約し、または薬物、処置、検査、リハビリ治療などの処方オーダーなどを入力するフィールドである（以下では、第２のフィールドという）。以下では、このようなフィールドの性格によってユーザが内容を入力する方式に対して具体的に説明する。
【００５４】
図７は、インターフェースに第１のフィールドの内容を入力する一例を示す（第１の入力方式）。患者の医療情報を照会すると、基準日以前の情報は、セクション形態でインターフェース上に表示されるが、基準日及び基準日以後の情報は、予約された内容がない限り空白領域で存在する。このとき、ユーザが診療中に基準日付の診療記録を入力しようとする場合、基準日列（ｃｏｌｕｍｎ）で該当フィールド（診療記録フィールド）の空白位置を選択すると、空のセクション２２１ａが該当位置に生成される。そして、生成された空のセクション２２１ａを再び選択すると、前述した詳細照会ウィンドウと同様に、インターフェースの一側に別途の入力ウィンドウ２２４が表示される。したがって、ユーザは、入力ウィンドウ２２４を介して診療記録内容を入力して入力ウィンドウ２２４を閉じると、処理部を介して基準日診療記録フィールドに該当するオブジェクトが生成され、該当内容が該当セクションに表示される。ただし、実施例によって空白位置選択時に空のセクションが生成されるステップは、省略するように構成でき、空白位置選択時にセクション追加を意味する別途のマーク（例えば、‘＋’マーク）が表示されると同時に入力ウィンドウが表示され、入力が完了すると、該当内容が反映されたオブジェクトが生成されて該当フィールド位置にセクションが生成されることも可能である。
【００５５】
一方、患者が特定期間同じ病変で医療機関を訪問する場合が多く、この場合、患者の症状及び意思の所見も類似した場合が多い。したがって、第１のフィールド入力時、全ての内容を新しく入力するものではなく、以前日付に入力した情報を入力時に利用できる機能を含む。
【００５６】
図８は、インターフェースに第１のフィールドの内容を入力する他の例を示す（第２の入力方式）。基準日以前の医療情報を活用して基準日の医療情報を入力しようとする場合、ユーザは、活用しようとする基準日以前のセクションを選択して基準日の該当フィールド位置に移動させることができる。このような動作は、従来のドラッグアンドドロップ方式で行われることができる。前記動作により既存のセクション２２１ｂと同じ内容のセクション２２１ｃが基準日の同じフィールドに生成される。これは基準日の該当フィールドに既存のセクションと同じ内容が入力された状態である（診断名が同じ場合、このように利用できる）。そして、ユーザが基準日に生成されたセクション２２１ｃを選択する場合、図７のように入力ウィンドウ２２４が一側に表示される。この時の入力ウィンドウ２２４には既存のセクション２２１ｂに該当する医療情報と同じ内容が入力されている状態であり、ユーザは、入力ウィンドウ２２４を介して既存の内容を修正（削除、交替または追加）する方式で入力できる。そして、入力ウィンドウ２２４を閉じると、基準日該当フィールドに該当するオブジェクトが再生成されて該当セクション２２１ｃに表示されることができる。
【００５７】
このように、本実施例による場合、既存の医療情報を利用して入力動作を実行することによってユーザ便宜性を高めることができ、セクションのドラッグアンドドロップ方式を利用して多様な端末装置に適用できる。このとき、誤入力を防止することができるように、このような既存セクションの移動は、同じフィールド内に制限するように構成することも可能である。
【００５８】
図９は、インターフェースに第２のフィールドの内容を入力する一例を示す。前述したように、検査フィールドまたは処方フィールドなどの第２のフィールドは、基準日または基準日以後に各種オーダー及び予約情報を入力する機能が必要である。特に、各種処方オーダーの内容は、基準日以前に実行された処方と類似する可能性が高いため、前述した第２の入力方式のように基準日以前の情報を利用して入力できる。
【００５９】
具体的に、図９は、処方フィールドウィンドウを表示したものであり、インターフェース下段に一部隠れているウィンドウをユーザが選択してライズアップさせた状態である。処方フィールドは、薬物処方、処置処方、検査処方などのサブ処方を含むことができる。ユーザは、処方フィールドウィンドウに、前述した第２の入力方式を利用して処方オーダーを入力することができる。
【００６０】
例えば、薬物処方オーダーを入力しようとすると、類似処方が行われる過去の薬物処方フィールドのセクション２２１ｄを選択して基準日位置に移動させる。これにより、基準日位置に生成されたセクション２２１ｅを選択し、細部内容を修正する方式で処方オーダーを入力することができる。また、処置処方である場合、過去同じ処置処方に該当するセクションを基準日位置に移動させて検査処方オーダーを入力することができる。
【００６１】
さらに、予約機能が必要な一部サブフィールドの場合（例えば、検査処方、リハビリ治療処方）、セクションの移動位置を基準日でない基準日以後の位置に移動させることによって、予約入力を実行することができる。例えば、検査予約が必要な場合、処方フィールドウィンドウで同じ検査を処方した過去のセクション２２１ｆを、基準日以後の位置（基準日列基準右側）に移動させて該当検査を予約することができる。このとき、該当サブフィールドの基準日以後位置に新しいセクション２２１ｇが生成され、必要な場合、予約日付を選択する機能まで含むことができる。この場合、予約に相応するセクションが生成された位置の時間軸には予約日付が表示されることができる。
【００６２】
このように、第２のフィールドの場合、第２の入力方式で既存のセクションの位置を移動させて処方オーダーを入力し、予約内容を入力することが可能である。図９では処方フィールドウィンドウで入力される過程を中心にして説明したが、検査フィールドで同じ方式で処方オーダー及び予約を入力することも可能である。例えば、処方フィールドウィンドウがライズアップされない状態で、検査処方を入力し、または検査予約をしようとする場合、検査フィールドのうち過去の検査結果を表示するセクションのうち該当検査に対するセクションを基準日または基準日以後の位置に移動させて検査処方及び検査予約を入力することができる。
【００６３】
前述したように、第２の入力方式は、セクションの移動が同じフィールドまたは同じサブフィールドに制限されることができるが、検査と関連したフィールドでは例外である。具体的に、検査フィールド及び処方フィールドの検査処方フィールドは、ユーザがいずれか一つを利用して特定検査を処方または予約すると、他の一つにも処方または予約内容を確認することができるように該当セクションが各々生成されることができる。これによる場合、ユーザは、検査フィールドを介して既存検査結果を確認しながら、処方フィールドウィンドウをライズアップせずに、追加検査を処方または予約することができる。また、検査処方または予約により生成されたセクションは、これに相応する検査結果情報がまだ存在しないため、既存の検査結果を表示するセクションと区分されるように表示されることができる。例えば、基準日以前に実行された超音波検査結果を表示するセクションは、動映像を再生する形態で表示されるが、検査処方または検査予約により生成されるセクションでは空のセクションまたは検査情報無いことを表示するオブジェクトが表示されることができる。したがって、ユーザは、検査フィールドに表示されたセクションを介して、過去診療時に基準日に予約した検査が実行されたかどうかを確認することも可能である。
【００６４】
以上、第２のフィールドに対して第２の入力方式を利用して処方または予約内容を入力することを中心にして説明した。ただし、第２のフィールド入力方式がこれに限定されるものではなく、基準日及び基準日以後の位置に空のセクションを生成して直接入力する第１の入力方式を利用して入力する機能も含むことができる。
【００６５】
医療情報照会区間調整による表示
【００６６】
本実施例に係るインターフェース２２０は、ユーザが時間軸情報を設定及び調節する機能をさらに含むことができる。ここで、時間軸情報は、患者の医療情報のうちインターフェース画面に表示される日付区間であり、または表示される日付別情報の数である。ユーザは、必要によって時間軸情報を調節して患者の病歴を微視的に照会したり巨視的に照会したりすることが可能である。このとき、インターフェース２２０に表示されるセクション２２１の大きさ及びセクションに表示されるオブジェクトも時間軸設定情報によって変更される。少ない数の日付別情報が要求される場合は、相対的に大きい大きさのセクションを介して詳細な情報を表示し、それに対し、多くの数の日付別情報が要求される場合は、セクションの大きさが小さくなり且つセクションを介して表示される情報も単純化されることができる。このように、セクション及びセクションに表示されるオブジェクトの内容は、設定された時間軸情報によって異なるスケールで表示されることができる。
【００６７】
一例として、本実施例では時間軸情報によってセクション及びセクションに表示されるオブジェクトは、第１のスケール、第２のスケール、第３のスケールに分けられる。第１のスケールは、表示日付区間が短いまたは表示日付数が少ない場合に表示される形態であり、第２のスケール及び第３のスケールへ行くほど表示日付区間が長いまたは表示日付数が多い場合に表示される形態である。まず、セクションの大きさは、第１のスケールで最も大きく、第２のスケール及び第３のスケールへ行くほどセクションの大きさが小さくなるように構成される。そして、各オブジェクトは、第１のスケールで最も詳細に情報を表示し、第２のスケール及び第３のスケールへ行くほど単純で少ない情報量のみを表示するように構成されることができる。したがって、処理部２１０は、ユーザの設定により時間軸情報が変更されると、該当時間軸情報によってオブジェクトのスケールを決定し、決定されたスケールでオブジェクトを生成してセクションに表示できる。即ち、同じ医療情報としても、時間軸情報によってインターフェース上に異なるように表示されることができる。
【００６８】
処理部２１０は、各フィールド及びサブフィールドによって各スケールによる表示形態を定義することができる。時間軸設定情報が変化するにつれて、各セクションに表示される内容の変化は、各々のフィールドまたはサブフィールド別に異なることがある。
【００６９】
図１０は、各フィールドまたはサブフィールド別各スケールによる表示形態を示す。図１０のａは診断名フィールド、図１０のｂは血液検査フィールド、図１０のｃはＸ−ｒａｙ検査フィールド、図１０のｄは超音波検査フィールド、図１０のｅは診療記録フィールドを例示的に表示したものである。
【００７０】
まず、診断名フィールドの情報は、第１のスケールでは主診断名及び副診断名を全て表示するように構成されることができる。そして、第２のスケール及び第３のスケールでは副診断名は省略して主診断名のみを表示するように構成されることができる。
【００７１】
そして、血液検査フィールドの情報は、第１のスケールではチャート形態で表示されて４個の主要情報を表示し、第２のスケールではより優先権が付与された２個の主要情報のみを表示し、第３のスケールでは検査結果による正常、非正常などの判定内容のみを表示するように構成されることができる。
【００７２】
また、ＯＣＴ検査フィールドは、第１のスケールでは検査イメージ全体を表示し、第２のスケールでは全体検査情報のうち優先権が付与された一部イメージ情報のみを表示し、第３のスケールでは該当サブフィールドに対して既設定されたサムネイルイメージを表示するように構成されることができる。
【００７３】
さらに、超音波検査フィールドは、第１のスケールではセクションを介して動映像を再生するように表示（図面上では動映像再生内容を表示しにくくて特定スライドで表示）し、第２のスケールでは優先権が付与された特定スライドイメージを表示し、第３のスケールでは該当サブフィールドに対して既設定されたサムネイルイメージを表示するように構成されることができる。
【００７４】
ただし、一部フィールドまたは一部サブフィールドは、時間軸設定情報によってセクションの大きさが変化する場合も、セクションを介して表示されるオブジェクトの内容が維持されるように構成されることができる。診療記録のような一部の情報は、スケールが変化する場合もユーザが全体情報を確認する必要があるためである。図１０の（ｅ）のように、診療記録フィールドをはじめとする一部フィールドは、スケールが変化してセクションの大きさが小さくなる場合も、スクロールバーまたはウィンドウ広げ機能などを利用して該当セクションを介して同じ内容が表示されることができるように構成されることができる。
【００７５】
以上で説明したように、処理部は、ユーザが要求する時間軸情報に基づいてスケールを決定し、フィールドまたはサブフィールドによって定義された方式でセクション及びオブジェクトを生成してインターフェースに表示できる。図１０では３ステップのスケールを一例として説明したが、これに限定されるものではなく、必要によって、４ステップ以上のスケールに変化するように構成することも可能である。
【００７６】
図１１は、時間軸調整によるインターフェース表示方法を示す流れ図である。図１１を参考にして、時間軸調整によるインターフェース表示方法を具体的に説明する。
【００７７】
まず、ユーザがインターフェース２２０の初期使用環境を設定するステップを実行する（Ｓ２１０）。設定される初期使用環境には初期時間軸情報を含むことができる。そして、ユーザは、インターフェース２２０を介して特定患者の情報を要求することができる（Ｓ２２０）。
【００７８】
患者情報が要求されると、処理部２１０は、初期時間軸情報及びデータベースで提供された患者の医療情報を考慮してインターフェース２２０に表示されるセクション及びオブジェクトのスケールを決定する（Ｓ２３０）。一般的に第１のスケールに決定できるが、要求した患者医療情報のうち表示すべき日付情報が多い場合、第２または第３のスケールに決定することも可能である。
【００７９】
処理部２１０でスケールが決定されると、決定されたスケールに基づいてセクションに表示するためのオブジェクトを生成する（Ｓ２４０）。このとき、フィールドまたはサブフィールド別に各スケールによるオブジェクト形態が定義されており、処理部は、それによってオブジェクトを生成する。さらに、処理部は、該当フィールドに対する医療情報のうち既定義された方式によって、特定情報、イメージ、またはスライドに優先権を付与し、各スケールによるオブジェクトを生成することができる。このような方式で生成されたオブジェクトは、該当スケールによって大きさが調整されたインターフェースのセクションに各々表示される（Ｓ２５０）。
【００８０】
一方、ユーザがインターフェースを介して、表示日付区間または表示日付数などの時間軸情報を変更することができる（Ｓ２６０）。このような変更要求がある場合、処理部２１０は、患者の医療情報及び変更された時間軸情報を考慮してスケールを調整するステップを実行する（Ｓ２７０）。そして、既定義された内容によって、調整されたスケールで各フィールド別オブジェクトを再生成し（Ｓ２８０）、これをインターフェースの再調整された各々のセクションを介してこれを表示する（Ｓ２９０）。このような方式により、本実施例に係るインターフェースは、ユーザの時間軸変更要求に対応できる。
【００８１】
以下、前述した時間軸変化によってインターフェースに具現される形態をいくつかの例を介して説明する。前述したように、本実施例に係るインターフェースは、患者の医療情報を照会するにあたって、照会しようとする日付区間を選択することができるように構成される。一例として、本実施例では１ケ月（第１の照会区間）、６ケ月（第２の照会区間）、３年（第３の照会区間）の三つの区間に調整することができる。
【００８２】
このとき、処理部２１０は、設定された日付区間の種類によって、セクション及びオブジェクトのスケールを決定するように構成されることができる。例えば、設定された日付区間が、第１の照会区間である場合は第１のスケール、第２の照会区間である場合は第２のスケール、第３の照会区間である場合は第３のスケールに決定されることができる。ただし、このように構成する場合、第２の照会区間に設定しても、去る６ケ月間医療機関訪問及び処方などの該当病歴がほとんど存在しない場合、表示される医療情報は、第１の照会区間を設定した時と同しであり、表示されるスケールのみが減るようになる短所がある。
【００８３】
したがって、処理部２１０は、設定された日付区間の種類によって該当照会期間の医療情報を抽出し、インターフェース上に表示されるべき日付別情報の数（表示されるべき日付の数）に基づいてスケールを決定することができる。例えば、日付別情報の数が、ｎ１個未満である場合は第１のスケールに決定し、ｎ１個以上且つｎ２個以下である場合は第２のスケールに決定し、ｎ２個を超過する場合は第３のスケールに決定できる。この場合、ユーザが照会期間を増やすように調整しても、実際にインターフェースに表示される患者の日付別情報の数によって適したスケールでインターフェース上に医療情報を表示することが可能である。
【００８４】
図１２は、第１の照会期間を設定した状態のインターフェースを示し、図１３は、第２の照会期間を設定した状態のインターフェースを示し、図１４は、第３の照会期間を設定した状態のインターフェースを示す。
【００８５】
図１２乃至図１４に示すように、第１の照会期間を設定した場合、ユーザは、患者の最近医療記録情報をより詳細に照会することが可能である。そして、第２の照会期間及び第３の照会期間を設定した場合、最近だけでなく、患者の病歴を過去から時系列的に照会することで巨視的な観点で患者の状態を把握して診断をすることが可能であるという長所がある。
【００８６】
ただし、照会期間が長く設定されるにつれて表示されるべき患者の日付別情報の数が増加する場合、インターフェース画面に表示することが困難である。この場合、第４及び第５のスケールを追加して表示される情報内容を縮小させることも可能であるが、過度に縮小すると、ユーザが識別すること自体が困難になる。したがって、処理部は、設定された最小スケール（本実施例の場合は、第３のスケール）としてインターフェース上に表示されることができる日付別情報の数に基準値を有し、該当基準値を超過する場合にインターフェースウィンドウをスクロールバー２２６などを利用して左右に移動するように構成できる。これによる場合、表示されるべき日付別情報数が多くてもユーザが容易に識別できる形態で全ての情報を表示することができる。
【００８７】
前述した本実施例ではユーザがオプションで提供される第１乃至第３の照会区間のうちいずれか一つを選択するように構成しているが、本発明がこれに限定されるものではない。例えば、インターフェース画面を拡大／縮小する操作方式（例えば、マウスのスクロールアップ／ダウン）で時間軸を線形的に調節し、時間軸上に表示される日付別情報の数を順次に調節できるように構成することも可能である。この場合、照会区間を自由に調整することによってユーザが所望する照会環境を提供することができる。
【００８８】
選択診断名関連情報選択照会
【００８９】
本実施例に係るインターフェースは、患者の多様な医療情報のうち、ユーザが所望する代表値と関連した医療情報のみを抽出して表示できる機能を含む。
【００９０】
患者が多様な病変で医療機関を訪問する場合、インターフェース上に表示される患者の医療情報は、多様な病変に対する診断、検査及び処方記録を含むことができる。したがって、ユーザが特定診断名と関連した情報を照会しようとする時、関連性の低い情報が混在されているため、これを選別すべき不便さがあり、一つの画面に表示される情報量が制限されているため、照会の効率性が落ちる恐れがある。本実施例ではユーザが代表値として診断名を選択すると、該当診断名と関連した医療情報のみを抽出して表示できるため、ユーザの照会便宜性及び照会の効率性を向上させることができる。
【００９１】
このために、インターフェースは、ユーザが代表値を選択することができる機能を含む。一例として、ユーザは、関心のある診断名が表示された診断名フィールドのセクション２２１ｈを選択する方式で代表値を選択することができる。または、別途のキーワード入力ウィンドウを介して関心のある診断名を入力する方式で代表値を選択することができる。以下、代表値として診断名を例として説明するが、本発明がこれに限定されるものではなく、薬物処方項目、処置処方項目、検査処方項目など、他の内容を代表値として選択することも可能である。
【００９２】
処理部２１０には、ユーザが選択できる各々の代表値に対して関連性可否を判断することができる基準になるデータが格納されている。したがって、ユーザが代表値を選択する場合、キャッシュ格納部２１２に格納された患者の医療情報のうち関連性判断基準によって関連情報を抽出する。したがって、オブジェクト生成部２１３は、関連性の低い情報は排除し、抽出された情報に対してのみオブジェクトを生成してインターフェース２２０上のセクションに表示できる。
【００９３】
このとき、処理部２１０で抽出される情報は、特定フィールドまたは特定サブフィールドに該当する情報である。例えば、網膜疾患に対する診断名が代表値として選択されると、処理部は、患者の医療情報のうち関連性のある眼圧検査フィールド、眼底ＯＣＴ検査フィールド、血液検査フィールドなどを抽出し、関連性のない肺機能検査フィールド、超音波検査フィールドなどの内容は排除することができる。
【００９４】
さらに、処理部２１０は、特定フィールドまたは特定サブフィールドを抽出するだけでなく、抽出されたフィールドに含まれている情報のうち関連性の高い詳細情報を抽出することができる。そして、オブジェクト生成部２１３は、関連性の高い詳細情報をインターフェース上に表示するようにオブジェクトを生成することができる。このとき、オブジェクト生成部２１３は、基本インターフェース画面に表示される方式と異なるように定義された方式でオブジェクトを生成することができる。例えば、糖尿病疾患に対する診断名が代表値として選択されると、血液検査フィールドが関連性のあるフィールドとして抽出され、血液検査情報のうち血糖数値と脂質数値などがセクションに表示されるようにオブジェクトが生成されることができる。
【００９５】
このようなユーザの関心度を考慮した選択的な表示方式による場合、インターフェース上に表示される日付情報が、ユーザが代表値を選択する前にインターフェース上に表示される情報と比較して、異なるように変更されることができる。代表値と他の疾患で診療が行われた日付の情報は、関連性のある情報がなくて排除されることができるためである。また、表示される日付の情報のうち関連性のあるフィールドのみが選択的に表示される。さらに、同じフィールドに該当しても、表示される内容が関連性のある特定情報を中心にして異なるように表示されることができる。
【００９６】
図１５は、所定代表値を選択した場合、インターフェースの表示内容を示す。図１５に示すインターフェースは、ユーザが代表値として甲状腺機能亢進症に対する診断名を選択した場合である。
【００９７】
インターフェースに表示された医療情報は、該当患者の全体医療情報のうち甲状腺亢進症診断を受けて診療及び処置を実行した日付のみが抽出されて表示される。ただし、該当日付の診断名は異なっても、代表値と関連性の高い検査情報を含む日付である場合、インターフェース上に表示されることができる。
【００９８】
そして、該当日付情報のうち甲状腺亢進症と関連性の高いフィールドを中心にしてインターフェース上に表示される。ただし、該当日付情報のうち診断名フィールド及び診療記録フィールドは、代表値との関連度と関係なしにインターフェース上に表示されることができる。具体的に、図１５に示すように、インターフェース上には検査フィールドのうち、甲状腺亢進症と関連性の高い血圧検査、血液検査、甲状腺機能検査、甲状腺超音波検査結果が表示される。このうち、血液検査結果は、図３乃至図５に表示された方式と違って、甲状腺亢進症と関連性の高いＣＥＡ数値を中心にして表示するように構成できる（２２１ｉ参照）。
【００９９】
図１６は、ユーザが選択した代表値関連情報を選択的に表示する方法を示す流れ図である。以下では図１６を参照して、前述した代表値と関連した情報を表示する方法をより詳細に説明する。
【０１００】
まず、ユーザが要求した患者の医療情報をデータベースから提供を受けて、これに対する情報をインターフェース上に表示するステップを実行する（Ｓ３１０）。本ステップに対する具体的な説明は、前述した図６のＳ１１０乃至Ｓ１４０に代える。
【０１０１】
ユーザは、インターフェースを介して関心のある代表値を選択するステップを実行する（Ｓ３２０）。このとき、代表値は、患者の診断名であり、または、その他の処方された特定薬物名、処方された処置名等、関心のある多様な項目である。
【０１０２】
ユーザがインターフェースを介して代表値を設定すると、処理部は、患者の医療情報のうち代表値と関連性のある情報を抽出するステップを実行する（Ｓ３３０）。前述したように、処理部２１０は、各代表値に対して関連性可否を判断する基準が格納されており、処理部２１０は、前記基準に基づいてキャッシュ格納部２１２に格納された患者の医療情報のうち関連性のある情報を抽出する。
【０１０３】
また、インターフェースに表示されるフィールドを調整するステップを実行することができる（Ｓ３４０）。本ステップは、以前ステップで抽出された医療情報のうち該当フィールドに対する情報の有無によって、表示されるフィールド項目及びこれの順序を決定することができる。ただし、抽出された医療情報と関係なしに選択された代表値によってインターフェースに表示されるフィールド配列が既定義されているため、定義されたようにフィールドが調整されることも可能である。そして、抽出された情報によって、関連性のない情報からなる日付別情報は排除し、関連性のある情報を含む日付別情報を表示するように時間軸表示日付も調整されることができる。そして、処理部は、このように調整されたフィールド及び日付情報によってインターフェースに各々のセクションを構成するように処理できる。ここで、インターフェースに表示される各セクションは、調整されたフィールド及び日付情報によって生成され、抽出された情報のうち該当日付該当フィールドに相応する情報が存在する位置に生成されることができる。ただし、本ステップは、別途のステップとして必修的に実行されるものではなく、他のステップの実行結果として日付情報及びフィールド情報が自動的に調整されることも可能である。
【０１０４】
オブジェクト生成部２１３は、抽出された情報をインターフェースの各セクションに表示するためのオブジェクトを再生成する（Ｓ３５０）。このとき、選択された代表値によってオブジェクト生成方式が異なるように定義されることができる。例えば、同じフィールドに対するオブジェクトを生成しても、該当フィールドに対する情報のうち代表値と関連性の高い詳細情報がユーザに直接的に表示できる方式で異なるように再生成されることができる（例えば、血液検査結果のうち関連性の高い数値を表示）。
【０１０５】
再生成されたオブジェクトは、インターフェースの各セクションに表示され、これによってインターフェース表示内容が調整されることができる（Ｓ３６０）。本ステップを介して、インターフェース上にはユーザが選択した代表値と関連性のある情報が各々のセクション形態で区分されて時系列的に表示されることができる。
【０１０６】
このように、本実施例による場合、ユーザが特定診断名のように関心のある代表値と関連した情報のみを選別的にインターフェース上に表示して照会することが可能である。
【０１０７】
以上で説明した本発明の実施例に係る医療情報照会及び入力方法は、ユーザ端末と結合されて実行されるためのプログラム（アプリケーション含む）で具現されて媒体に格納されることができる。
【０１０８】
このようなプログラムは、ユーザ端末がプログラムを読み込んでプログラムで具現された前記方法を実行させるために、端末の演算装置が読み込むことができるプログラム言語でコード化されたコードを含むことができる。このようなコードは、前記方法を実行する必要な機能を定義した関数などと関連した機能的なコード（Ｆｕｎｃｔｉｏｎａｌ  Ｃｏｄｅ）を含むことができ、前記機能を端末の演算装置が所定の手順通りに実行させるときに必要な実行手順関連制御コードを含むことができる。
【０１０９】
また、このようなプログラムが格納される媒体は、レジスター、キャッシュ、メモリなどのように短い瞬間データを格納する媒体ではなく、半永久的にデータを格納し、機器により読み取り（ｒｅａｄｉｎｇ）可能な媒体を意味する。具体的に、前記格納される媒体の例として、ＲＯＭ、ＲＡＭ、ＣＤ−ＲＯＭ、磁気テープ、フロッピーディスク、光データ格納装置などがあるが、これに制限されるものではない。例えば、前記プログラムは、ユーザ端末が接続できる多様なウェブサーバ上の多様な記録媒体に格納されることができる。また、前記媒体は、ネットワークで連結されたコンピュータシステムに分散され、分散方式でコンピュータが読み取り可能なコードが格納されることができる。
【０１１０】
以上、本発明の一実施例に対して詳細に記述したが、本発明が前記実施例に限定されるものではない。本発明が属する技術分野に対して通常の知識を有する者であれば、添付された請求範囲に定義された本発明の技術的特徴の範囲を外れない限り、本発明を多様に変形または変更して実施することができる。
【符号の説明】
【０１１１】
10  検査装置
20  患者保有端末
30  外部医療機関ＤＢ
100  サーバ
110  データベース
211  データ伝達部
212  キャッシュ格納部
213  オブジェクト生成部
214  入力処理部
220  インターフェース
300  処方伝達システム
【図１】
2021532520.tif 000003
【図２】
2021532520.tif 000004
【図３】
2021532520.tif 000005
【図４】
2021532520.tif 000006
【図５】
2021532520.tif 000007
【図６】
2021532520.tif 000008
【図７】
2021532520.tif 000009
【図８】
2021532520.tif 000010
【図９】
2021532520.tif 000011
【図１０】
2021532520.tif 000012
【図１１】
2021532520.tif 000013
【図１２】
2021532520.tif 000014
【図１３】
2021532520.tif 000015
【図１４】
2021532520.tif 000016
【図１５】
2021532520.tif 000017
【図１６】
2021532520.tif 000018
【国際調査報告】
2021532520.tif 000019
2021532520.tif 000020
2021532520.tif 000021
2021532520.tif 000022